(57)【特許請求の範囲】
【請求項１】
導電材からなるメカシャーシと、このメカシャーシに取付けられ光ディスクを着脱自在に支持し回転駆動する回転駆動機構と、前記光ディスクに情報を書き込みもしくは情報の呼び出しを行う光ピックアップと、この光ピックアップを光ディスクに対して移動付勢する支持機構とを備えた光ディスク駆動装置において、
前記支持機構は、前記光ピックアップを移動自在に支持する並行な一対のシャフトと、
前記一対のシャフトにおける、一方のシャフトの両側部と他方のシャフトの少なくとも一端部に設けられ、シャフトの前記メカシャーシに対する高さを調整する複数の傾き調整機構とを具備し、
前記傾き調整機構は、
前記メカシャーシに取付け固定され、絶縁材からなるシャフトガイドと、
このシャフトガイドに取付け固定され、導電材からなる調整用プレートと、
この調整用プレートに螺合され、導電材からなる調整ねじと、
この調整ねじの先端に前記シャフトの側端部が当接するよう、弾性的に押圧付勢する付勢体とを具備し、
所定の前記傾き調整機構における、前記調整用プレートと前記シャフトガイドおよび前記メカシャーシに亘って連設され、導電部材を着脱自在に取付けるための取付け用孔とを具備することを特徴とする光ディスク駆動装置。
【請求項２】
前記シャフトガイドは合成樹脂材からなり、
このシャフトガイドに対して前記メカシャーシおよび前記調整用プレートの少なくともいずれか一方は、ねじ止め固定される、もしくはアウトサート成形によって取付け固定されることを特徴とする請求項１記載の光ディスク駆動装置。
【請求項３】
前記取付け用孔は、前記複数の傾き調整機構における全ての傾き調整機構に設けられることを特徴とする請求項１および請求項２のいずれかに記載の光ディスク駆動装置。
【発明の詳細な説明】
【技術分野】
【０００１】
本発明は、光ディスク駆動装置に係り、特に光ピックアップを支持する支持機構を用いたアース構造の改良に関する。
【背景技術】
【０００２】
光ディスク駆動装置は、導電材からなるメカシャーシに、光ディスクを着脱自在に支持し、かつ回転駆動する回転駆動機構と、光ピックアップを支持し光ディスクに対して移動付勢する支持機構とを備え、前記光ピックアップにより光ディスクに情報を書き込みもしくは情報の呼び出しを行う。
【０００３】
前記支持機構は、光ピックアップを支持する並行な一対のシャフトと、一方のシャフトの側部に設けられ光ピックアップをシャフトに沿って移動駆動する駆動機構を備えている。さらに、各シャフトの端部には、シャフトのメカシャーシに対する高さを調整し、光ピックアップの光ディスクに対する傾きを調整する傾き調整機構が設けられる。
【０００４】
なお、磁気テープ装置においては、ドラム体に磁気テープを摺接するので、互いの摩擦等の作用によって静電気が発生する。この静電気をドラム体からアース部材を介して導電材からなるメカシャーシに逃すことで、静電気に起因するノイズの発生を抑え、Ｓ／Ｎ比の劣化を防止している。
【０００５】
たとえば、［特許文献１］には、ドラム体をシャーシに対して支持するドラムベースを備え、ドラムベースが導電性の場合と、絶縁性の場合の、アース構造の取り方について記載されている。すなわち、アース部材を、導電性のドラムベースと固定ねじで共締めして導電性のシャーシに固定する、もしくは絶縁性のドラムベースと導電性ねじで共締めして導電性のシャーシに固定する。
【特許文献１】実開平５−９０６２１号公報
【発明の開示】
【発明が解決しようとする課題】
【０００６】
これに対して光ディスク駆動装置においても、光ピックアップに対する信号レベルの変更調整など電気的な設計要素が重要である。すなわち、光ピックアップから支持機構を介してメカシャーシに至る電気的な導通をとったアース構造と、光ピックアップとメカシャーシとの間を電気的に遮断して非導通（絶縁）構造とすることの、いずれかを選択するかで光ピックアップの性能が大きく左右される。
【０００７】
しかしながら従来は、予め、光ピックアップを直接支持する一対のシャフトからメカシャーシに至る電気的な導通が確保されアース構造が採用された装置と、これらの間に絶縁材からなる構成部品を介在させ非導通構造とした装置とが製作され、設計仕様にもとづいていずれか一方のメカ構造が選択されている。そのため、採用されない分までも予め製作しなければならず、部品コストに悪影響を与えている。
【０００８】
さらに、新規な光ピックアップを採用した場合は、それにともない光ピックアップからメカシャーシへの電気的な導通構造から非導通構造への変更を余儀なくされることが多い。もしくは、その逆の光ピックアップからメカシャーシへの電気的な非導通構造から導通構造に変更が必須となることもある。
【０００９】
あるいは全体的な変更ばかりでなく、部分的に数ポイントに限って電気的な導通から非導通への変更や、逆への指示がある。いずれにしても、上述の変更仕様にともなって設計変更を行う必要があり、金型の変更がともない、もしくは部品を追加しなけれならず、部品費および工数の増大が避けられない。
【００１０】
本発明は上記事情にもとづきなされたものであり、その目的とするところは、光ピックアップの性能にもとづいて要求される電気的な導通・非導通の状態が変化した場合においても、容易に対応が可能な構造を備え、部品費や工数の増大がともなわない光ディスク駆動装置を提供しようとするものである。
【課題を解決するための手段】
【００１１】
上記目的を満足するため本発明は、導電材からなるメカシャーシと、このメカシャーシに取付けられ光ディスクを着脱自在に支持し回転駆動する回転駆動機構と、光ディスクに情報を書き込みもしくは情報の呼び出しを行う光ピックアップと、この光ピックアップを光ディスクに対して移動付勢する支持機構とを備えた光ディスク駆動装置において、  
前記支持機構は、光ピックアップを移動自在に支持する並行な一対のシャフトと、一対のシャフトにおける一方のシャフトの両側部と他方のシャフトの少なくとも一端部に設けられシャフトのメカシャーシに対する高さを調整する複数の傾き調整機構とを具備し、  
前記傾き調整機構は、メカシャーシに取付け固定され絶縁材からなるシャフトガイドと、シャフトガイドに取付け固定され導電材からなる調整用プレートと、調整用プレートに螺合され導電材からなる調整ねじと、調整ねじの先端にシャフトの側端部が当接するよう弾性的に押圧付勢する付勢体とを具備し、  
所定の傾き調整機構における、調整用プレートとシャフトガイドおよびメカシャーシに亘って連設され、導電部材を着脱自在に取付けるための取付け用孔とを具備する。
【発明の効果】
【００１２】
本発明によれば、光ピックアップの性能にもとづき、要求される電気的な導通状態と非導通状態のいずれの構造にも容易に対応でき、コストの低減に寄与する効果を奏する。
【発明を実施するための最良の形態】
【００１３】
以下、本発明の実施の形態を、図面にもとづいて説明する。  
図１は光ディスク駆動装置を構成するメカシャーシ１の上面側の斜視図であり、図２は同じくメカシャーシ１の裏面側の斜視図である。  
前記メカシャーシ１は、導電材である金属板をプレス加工で成形され、ここでは図示しない合成樹脂材からなるケース体内に収容固定される。前記メカシャーシ１は幅（縦）方向と比較して長手（横）方向が長い、平面視で矩形状の板体であり、中央部に大なる面積の開口部Ｋが設けられる。
【００１４】
メカシャーシ１の長手方向の一側部で幅方向の略中央部には、ディスクモーター（回転駆動機構）２が取付け固定される。前記ディスクモーター２には、スリップ防止用のリング状ゴム膜が貼着されたディスクテーブルと、光ディスクのセンタリングを行うディスクチャック部が設けられる。ディスクチャック部の中心部にはクランパーセンタリング用のガイド孔が設けられ、光ディスクを正確な位置に着脱自在に取付け支持できる。
【００１５】
このようなディスクモーター２に対して、前記メカシャーシ１には支持機構３が設けられ、この支持機構３に光ピックアップ４が備えられる。前記光ピックアップ４は、支持機構３によって光ディスクの半径方向に移動付勢されながら、光ディスクに対してレーザー光を照射し、光ディスクに情報の書き込みを行い、もしくは情報の読み出し再生を行う。
【００１６】
前記支持機構３は、前記光ピックアップ４の両側端部に挿通され、光ピックアップ４を移動自在に支持する並行な一対のシャフト５Ａ，５Ｂを備えている。一方のシャフト５Ａがメインシャフトとして備えられ、他方のシャフト５Ｂがサブシャフトとして備えられている。メインシャフト５Ａの軸方向長さはサブシャフト５Ｂの軸方向長さよりわずかに短く、メインシャフト５Ａの直径はサブシャフト５Ｂの直径よりもわずかに大である。
【００１７】
特に、図２に示すメカシャーシ１の裏面側において、メインシャフト５Ａに対する光ピックアップ４の挿通部に光ピックアップ移動機構６が設けられる。この光ピックアップ移動機構６は、光ピックアップ４に設けられるラックギヤ７と、このラックギヤ７に噛合するリードスクリュー８と、このリードスクリュー８を回転駆動するフィードモータ９とから構成される。
【００１８】
前記リードスクリュー８はメインシャフト５Ａの軸方向に沿って並行して設けられていて、一端部がメカシャーシ１の裏面に軸受ａを介して支持され、他端部は前記フィードモータ９に連結される。フィードモータ９に通電すると、リードスクリュー８が回転駆動されラックギヤ７が噛合回転する。
【００１９】
前記ラックギヤ７は光ピックアップ４に取付けられているので、光ピックアップ４全体がメインシャフト５Ａとサブシャフト５Ｂに沿って移動することとなる。この光ピックアップ４の移動方向は、ディスクモーター２に取付けられる光ディスクの半径方向に一致する。
【００２０】
再び図１に示すメカシャーシ１の表面側において、前記メインシャフト５Ａの一端部であるディスクモーター２側の端部はシャフトホルダ１０に支持されている。このシャフトホルダ１０はメインシャフト５Ａの一端部を回動自在に支持する。すなわち、前記シャフトホルダ１０はメインシャフト５Ａ端部のメカシャーシ１に対する角度変更は可能であるが、高さ位置は固定的に支持している。
【００２１】
これに対してメインシャフト５Ａの他端部は、メカシャーシ１に対し後述する傾き調整機構１１を介して支持される。さらに、前記サブシャフト５Ｂの両端部もメカシャーシ１に対し前記傾き調整機構１１を介して支持される。図１のメカシャーシ１表面側において、傾き調整機構１１を構成するシャフトガイド１２が露出し、図２のメカシャーシ１裏面側において、シャフトガイド１２一部と調整用プレート１３他が露出する。
【００２２】
つぎに、前記傾き調整機構１１について詳述する。  
図３はメカシャーシ１の裏面側から見た傾き調整機構１１の拡大した斜視図、図４は傾き調整機構１１の断面図である。  
前記傾き調整機構１１は、前記メカシャーシ１に取付け固定具である第１の固定ねじ１４を介して取付け固定される前記シャフトガイド１２と、このシャフトガイド１２に取付け固定具である第２の固定ねじ１５を介して取付け固定される前記調整用プレート１３と、この調整用プレート１３に螺合される調整ねじ１６を備えている。
【００２３】
さらに傾き調整機構１１は、調整用プレート１３とメインシャフト５Ａおよびサブシャフト５Ｂの端部との間に張設されるシャフト押えばね（付勢体）１７を備えている。このシャフト押えばね１７は、メインシャフト５Ａおよびサブシャフト５Ｂの周面一部を前記調整ねじ１６の先端に弾性的に当接するよう押圧付勢する引張りばねである。
【００２４】
したがって、前記調整ねじ１６を正方向もしくは逆方向に回動することにより、各シャフト５Ａ，５Ｂはシャフト押えばね１７に押え付けられながら、メカシャーシ１からの高さ寸法を調整されることになる。そして、前記シャフトホルダ１０は各シャフト５Ａ，５Ｂ端部が正しく垂直方向に移動するよう、高さ方向のガイドをなす。
【００２５】
このようにして、前記メインシャフト５Ａは一端がシャフトホルダ１０によって固定的に支持され、他端が傾き調整機構１１によって高さ方向に調整可能に支持されるのに対して、前記サブシャフト５Ｂは両端が傾き調整機構１１を介して支持されるところから、各端部が個々に高さ方向に調整可能である。
【００２６】
なお、上述したようにメカシャーシ１は導電材である金属板からなるのに対して、シャフトガイド１２は絶縁材である合成樹脂材からなり、前記調整用プレート１３は導電材である金属片で成形される。したがって、絶縁材でのシャフトガイド１２を間にして、導電材のメカシャーシ１と調整用プレート１３とが重ね合わされた状態で取付け固定される。
【００２７】
また、メカシャーシ１にシャフトガイド１２を取付け固定する第１の固定ねじ１４と、調整用プレート１３をシャフトガイド１に取付け固定する第２の固定ねじ１５、および調整用プレート１３に螺合される調整ねじ１６のいずれも一般の市販品でよく、金属材からなる。前記メインシャフト５Ａとサブシャフト５Ｂは、いずれもステンレス鋼などの金属材から成形される。
【００２８】
そのため、光ピックアップ４とメインシャフト５Ａおよびサブシャフト５Ｂは、常に電気的に導通状態にあり、各シャフト５Ａ，５Ｂに先端が接触する調整ねじ１６、この調整ねじ１６が螺着される調整用プレート１３、この調整用プレート１３を取付け固定する第２の固定ねじ１５までが金属材であるので、光ピックアップ４から各シャフト５Ａ，５Ｂ、調整用ねじ１６、調整用プレート１３を介して第２の固定ねじ１５までが電気的に導通状態にある。
【００２９】
しかしながら、傾き調整機構１１として第２の固定ねじ１５によって調整用プレート１３とシャフトガイド１２およびメカシャーシ１が共締めされる構成となっておらず、シャフトガイド１２をメカシャーシ１に取付け固定するのは別の第１の固定ねじ１４であって、この第１の固定ねじ１４と調整用プレート１３とは何らの係り合いも無い。
【００３０】
メカシャーシ１と第１の固定ねじ１４とが同じ金属材からなり、互いに電気的に導通状態にあるが、メカシャーシ１と調整用プレート１３との間には絶縁材であるシャフトガイド１２が介在しているところから、メカシャーシ１と調整用プレート１３とは電気的に非導通（絶縁）状態にあり、光ピックアップ４とメカシャーシ１とは電気的に非導通状態になっている。
【００３１】
このような傾き調整機構１１において、ねじ孔ｄおよび孔部ｅからなる取付け用孔１８が設けられる。前記ねじ孔ｄは、メカシャーシ１における調整用プレート１３とシャフトガイド１２が重ね合わされる部位に設けられ、前記孔部ｅは、前記ねじ孔ｄと連通するようシャフトガイド１２および調整用プレート１３部位に連設される。
【００３２】
上述したように、メカシャーシ１と調整用プレート１３間に絶縁材からなるシャフトガイド１２が介在しているので、メカシャーシ１に対して調整用プレート１３・シャフト５Ａ，５Ｂ・光ピックアップ４との間を電気的に非導通とする場合は、上記取付け用孔１８に何らの部材も取付けず、孔状のままとする。
【００３３】
以上のように構成される光ディスク駆動装置であって、ディスクモーター２に図示しない光ディスクを装着してＰＬＡＹボタンを押すと、ディスクモーター２に通電され光ディスクが回転駆動される。
【００３４】
さらに、支持機構３を構成するフィードモータ９に通電され、リードスクリュー８が回転駆動される。前記リードスクリュー８に噛合するラックギヤ７が回転し、このラックギヤ７を備えた光ピックアップ４がメインシャフト５Ａおよびサブシャフト５Ｂに沿って移動する。
【００３５】
同時に、光ピックアップ４から光ディスクに対してレーザー光が発振される。レーザー光は光ディスクで反射し、再び光ピックアップ４に戻る。したがって、光ピックアップ４は光ディスクに対して情報を記録し、もしくは光ディスクに書き込まれた情報を取り出し再生できる。
【００３６】
このように、光ピックアップ４の所定部位から発振されたレーザー光が光ディスクに入射し、かつ反射して再び光ピックアップ４の所定部位に正しく入射するためには、光ディスクに対する光ピックアップ４の平行度を正しく調整しなければならない。
【００３７】
そのため、メインシャフト５Ａとサブシャフト５Ｂの端部に備えた傾き調整機構１１を調整して、平行度を正確に出す。具体的には、調整ねじ１６を右回転もしくは左回転して、調整用プレート１３からの調整ねじ１６の突出量を可変調整する。
【００３８】
前記調整ねじ１６の先端にメインシャフト５Ａとサブシャフト５Ｂが載り、これらシャフト５Ａ，５Ｂと調整用プレート１３との間にシャフト押えばね１７が張設されているところから、各シャフト５Ａ，５Ｂは調整ねじ１６に弾性的に当接するよう押え付けられている。
【００３９】
したがって、調整ねじ１６の調整用プレート１３からの突出量の可変は、各シャフト５Ａ，５Ｂの調整用プレート１３からの高さ調整となる。その結果、光ピックアップ４のメカシャーシ１からの高さ調整が行われて、光ディスクに対する光ピックアップ４の平行度が正確に得られる。
【００４０】
また、上述したように光ピックアップ４はメカシャーシ１に対して電気的に非導通の状態にあり、実際の非導通ヶ所は傾き調整機構１１となっている。ところが、たとえば光ピックアップ４での信号レベルの変更などの条件により、全ての非導通ヶ所を導通状態に変える場合がある。もしくは、選択された部位の非導通ヶ所のみを導通状態に変える必要が生じる。
【００４１】
そこで、光ピックアップ４をメカシャーシ１に対して電気的に導通状態に変えるには、つぎに述べるように設定する。  
図５は光ピックアップ４とメカシャーシ１とを電気的に導通した状態の傾き調整機構１１の断面図であり、図６は電気的に導通した状態を説明する図である。  
この場合は、指定の傾き調整機構１１における取付け用孔１８に、導電部材である導電用ねじ２０を取付ける。前記導電用ねじ２０は金属製であれば、一般に市販されるものでよい。この導電用ねじ２０を取付け用孔１８に螺挿することで、導電用ねじ２０の頭部は調整用プレート１３に接し、かつさらなる締め付けによりメカシャーシ１に対して調整用プレート１３とシャフトガイド１２を強固に密着固定する。
【００４２】
このようにして、前記導電用ねじ２０でメカシャーシ１とシャフトガイド１２および調整用プレート１３を共締めする。金属製の導電用ねじ２０は、金属材からなる調整用プレート１３およびメカシャーシ１に密接するから、導電用ねじ２０を介して調整用プレート１３とメカシャーシ１を電気的な導通状態に変える。
【００４３】
したがって、図６に示すように、前記光ピックアップ４から各シャフト５Ａ，５Ｂ、調整ねじ１６、調整用プレート１３、導電用ねじ２０およびメカシャーシ１に至る間が電気的な導通状態に変る。すなわち、光ピックアップ４からメカシャーシ１に対してアース構造が得られる。
【００４４】
導電材からなるメカシャーシ１と導電材からなる調整用プレート１３との間に、絶縁材からなるシャフトガイド１２が介在する傾き調整機構１１の基本構成については、何らの変更も必要がない。そして、メカシャーシ１にシャフトガイド１２を取付け固定し、シャフトガイド１２に調整用プレート１３を取付け固定する構成の変更も不要である。
【００４５】
必要に応じて、光ピックアップ４からメカシャーシ１に至る間を、再びもとの電気的に非導通状態に戻すには、取付け用孔１８から導電用ねじ２０を取外すだけの簡単な作業で済む。
【００４６】
いずれにしても、光ピックアップ４からメカシャーシ１に至るまでの間を電気的に導通する、もしくは非導通とする、のいずれかを選択し変更する場合において、金型変更や新たな部品追加等のメカ構造的に大きな変更を加えることなく、取付け用孔１８に導電用ねじ２０を着脱するだけの簡単な作業で可能化し、部品費の高騰および工数の増大を確実に抑制できる。
【００４７】
前記取付け用孔１８は、複数の傾き調整機構１１のそれぞれに備えられているから、全ての傾き調整機構１１の取付け用孔１８に導電用ねじ２０を取付けて電気的に導通状態に変えることができる。また、指定された部位のみの取付け用孔１８に導電用ねじ２０を取付けるなど、部分的に変更することも可能である。
【００４８】
傾き調整機構１１についても、上述の実施の形態ではメインシャフト５Ａの一端部と、サブシャフト５Ｂの両端部に設けることの説明をなしたが、機種によってはメインシャフト５Ａの両側に傾き調整機構１１を備える場合があり、このときも全ての傾き調整機構１１に導電部材２０を着脱自在に取付けるための取付け用孔１８を設ける。
【００４９】
前記導電部材２０として、一般的に用いられる市販の金属製ねじでよく、廉価に提供できる。あるいは、導電部材２０をねじから金属棒（片）に換えて、取付け用孔１８に対してワンタッテで装着できるようにしてもよい。この場合も、金型変更や新たな部品の追加が不要であることは言うまでもない。
【００５０】
なお、上述の実施の形態においては、メカシャーシ１に対するシャフトガイド１２の取付けを第１の固定ねじ１４で行い、シャフトガイド１２に対する調整用プレート１３の取付けを第２の固定ねじ１５で行うように構成した。換言すれば、シャフトガイド１２と、調整用プレート１３およびメカシャーシ１は、それぞれ独立した部品である。
【００５１】
したがって、シャフトガイド１２と、調整用プレート１３と、メカシャーシ１は、一般工具によって容易に分解できる。そのため、光ディスク駆動装置として廃棄処分する際に、個々の部品を分解したうえで、材質別の分別廃棄が容易であり、環境対応が可能となっている。
【００５２】
ただし、組立作業性の点からは第１の固定ねじ１４を備えてシャフトガイド１２をメカシャーシ１に取付け固定し、第２の固定ねじ１５を備えて調整用プレート１３をシャフトガイド１２に取付け固定しなければならず、手間がかかり工数の増大に繋がる。  
そこで、シャフトガイド１２が合成樹脂材からなることを利用して、シャフトガイド１２に対して前記メカシャーシ１および前記調整用プレート１３の少なくともいずれか一方をアウトサート成形によって取付け固定するよう変更すれば、組立作業性の向上を図れることとなる。
【００５３】
前記メカシャーシ１や調整用プレート１３および導電部材２０など金属材から成形すると説明したが、要は電気的に導通可能な材料であればよく、またシャフトガイド１２は合成樹脂材から成形すると説明したが、要は電気的に非導通（絶縁材）の材料であればよい。いずれも、特定の金属材料あるいは特定の合成樹脂材料に限定されずに実現可能である。
【００５４】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００５５】
【図１】本発明における実施の形態に係る、光ディスク駆動装置の表面側の斜視図。
【図２】同実施の形態に係る、光ディスク駆動装置の裏面側の斜視図。
【図３】同実施の形態に係る、光ディスク駆動装置要部である傾き調整機構の斜視図。
【図４】同実施の形態に係る、傾き調整機構の縦断面図。
【図５】同実施の形態に係る、傾き調整機構の縦断面図であり、図４とは異なる状態。
【図６】同実施の形態に係る、傾き調整機構の縦断面図であり、電気的な導通を説明する図。
【符号の説明】
【００５６】
１…メカシャーシ、２…ディスクモーター（回転駆動機構）、４…光ピックアップ、３…支持機構、５Ａ…メインシャフト、５Ｂ…サブシャフト、１１…傾き調整機構、１２…シャフトガイド、１３…調整用プレート、１６…調整ねじ、１７…引張りばね（付勢体）、２０…導電用ねじ（導電部材）、１８…取付け用孔。
【図１】
0004410203.tif 000002
【図２】
0004410203.tif 000003
【図３】
0004410203.tif 000004
【図４】
0004410203.tif 000005
【図５】
0004410203.tif 000006
【図６】
0004410203.tif 000007